(57)【要約】【課題】劣化したポリカーボネート樹脂パネルから劣化物が取り除かれ、耐候性及び透明性が新品に近い状態まで修繕された修繕されたポリカーボネート樹脂パネルを提供する。【解決手段】劣化したポリカーボネート樹脂パネルの１面又は両面が粗さの異なる複数のサンドペーパーで研磨され、コンパウンド液体研磨剤で研磨され、及び水取りサンドペーパーで研磨される。好適には、粗さ１００番ないし１０００のコンパウンド液体研磨剤で研磨される。さらに好適には、コーティング剤による保護被膜が形成される。【選択図】図１
2014037023.tif 000002
【特許請求の範囲】
【請求項１】
劣化したポリカーボネート樹脂パネルの１面又は両面が粗さの異なる複数のサンドペーパーで研磨され、コンパウンド液体研磨剤で研磨され、及び水取りサンドペーパーで研磨されることを特徴とする修繕されたポリカーボネート樹脂パネル。
【請求項２】
更に、粗さ１００番ないし１０００番のコンパウンド液体研磨剤で研磨されることを特徴とする請求項１記載の修繕されたポリカーボネート樹脂パネル。
【請求項３】
コーティング剤による保護被膜が形成されることを特徴とする請求項１又は２記載の修繕されたポリカーボネート樹脂パネル。
【請求項４】
前記サンドペーパーの粗さが１８０番から３０００番の範囲であることを特徴とする請求項１ないし３のいずれか１項記載の修繕されたポリカーボネート樹脂パネル。
【請求項５】
劣化したポリカーボネート樹脂パネルの１面又は両面を粗さの異なる複数のサンドペーパーで研磨するステップと、コンパウンド液体研磨剤で研磨するステップと、水取りサンドペーパーで研磨するステップとを含むことを特徴とする劣化したポリカーボネート樹脂パネルの修繕方法。
【請求項６】
粗さ１００番ないし１０００番のコンパウンド液体研磨剤で研磨するステップを含むことを特徴とする請求項５記載の劣化したポリカーボネート樹脂パネルの修繕方法。
【請求項７】
更に、コーティング剤による保護被膜を形成させるステップを含むことを特徴とする請求項５又は６記載の劣化したポリカーボネート樹脂パネルの修繕方法。
【発明の詳細な説明】
【技術分野】
【０００１】
本発明は、修繕されたポリカーボネート樹脂パネルに関する。より詳細には、ポリカーボネートの変色が取り除かれ、透明度が蘇生した修繕されたポリカーボネート樹脂パネルに関する。
【背景技術】
【０００２】
ポリカーボネート樹脂は、強度、剛性が大きく、難燃性であり、加工・成形性・耐磨耗性・耐薬品性及び透明性に優れているので、例えば、窓ガラス、アーケードの屋根材、食品包装容器、自動車部品、各種精密機械部品等に広く用いられている。しかしながら、ポリカーボネート樹脂は、表面硬度が劣るため傷つきやすく、耐候性に劣るため直射日光などに曝される屋外で使用すると衝撃強度が低下したり、変色したりすることがあった。
【０００３】
これらを修繕するために、例えば、ポリカーボネート樹脂シートの片面又は両面に、ガラス転移温度が４０〜９０℃で分子量４００以上の紫外線吸収剤を０．５〜５．０ｇ／ｍ2で含有するアクリル樹脂層を設けた積層体が開示されている（特許文献１参照）。しかしながら、このような積層体は、延伸時、折り曲げ時又は衝撃を受けた時に、アクリル系樹脂層が割れやすく、衝撃強度、曲げ強度又は表面硬度等において十分に満足できるものでなかった。このため、例えば、汚れた表面を洗浄し、ワックスを塗ったりすることが行われていた。
【先行技術文献】
【特許文献】
【０００４】
【特許文献１】特開平４−２７０６５２号公報
【発明の概要】
【発明が解決しようとする課題】
【０００５】
しかしながら、単純な洗浄では汚れが落ちず、ワックス処理をしても１か月程度で洗浄前の状態に戻り、劣化が進行するという課題があった。
【０００６】
本発明は、上記従来の課題を解決するものであり、劣化したポリカーボネート樹脂パネルから劣化物が取り除かれ、耐候性及び透明性が新品に近い状態まで修繕された修繕されたポリカーボネート樹脂パネルを提供することを目的とする。
【課題を解決するための手段】
【０００７】
上記目的を達成するため、劣化したポリカーボネート樹脂パネルの１面又は両面が粗さの異なる複数のサンドペーパーで研磨され、コンパウンド液体研磨剤で研磨され、及び水取りサンドペーパーで研磨された修繕されたポリカーボネート樹脂パネルを提供する。
【０００８】
本発明に係る修繕されたポリカーボネート樹脂パネルによれば、粗さの異なる複数のサンドペーパー、コンパウンド液体研磨剤、及び水取りサンドペーパーで研磨されるので、パネル面の劣化物が除去され、光沢及び透明性が向上し、新品のような修繕されたポリカーボネート樹脂パネルを得ることができる。
【０００９】
好ましい態様では、更に、粗さ１００番ないし１０００のコンパウンド液体研磨剤で研磨されることを特徴とする。このような構成によれば劣化したポリカーボネート樹脂パネルから効率的に劣化物を取り除き、新品に備わっているようなクリア感を再現することができる。
【００１０】
上記態様では、コーティング剤による保護被膜が形成されることが好ましい。このような構成によれば、修繕されたポリカーボネート樹脂パネルの表面に形成されたコーティング剤の膜によって日光の紫外線等の通過が遮断されるので、耐候性・美観性・耐久性などが向上する。
【００１１】
上記態様では、前記サンドペーパーの粗さが１８０番から３０００番の範囲であることが更に好ましい。このような構成によれば、修繕されたポリカーボネート樹脂パネルの耐候性・美観性・耐久性などがより向上する。
【発明の効果】
【００１２】
以上のように、本発明によれば、劣化したポリカーボネート樹脂パネルから劣化物が取り除かれ、耐候性及び透明性が新品に近い状態まで修繕された修繕されたポリカーボネート樹脂パネルを提供することができる。
【図面の簡単な説明】
【００１３】
【図１】修繕されたポリカーボネート樹脂パネルを示す斜視図である。（実施例１）
【図２】修繕されたポリカーボネート樹脂パネルの製造プロセスを示すフローチャートである。（実施例１）
【図３】修繕されたポリカーボネート樹脂パネルの使用例を示す図である。（実施例１）
【図４】修繕されたポリカーボネート樹脂パネルの使用例を示す図である。（実施例２）
【図５】修繕されたポリカーボネート樹脂パネルの使用例を示す図である。（実施例１）
【発明を実施するための形態】
【００１４】
以下、図に示す実施例により本発明をさらに詳細に説明する。なお、これにより本発明が限定されるものではない。
【実施例】
【００１５】
−実施例１−
図１は、実施例１に係る修繕されたポリカーボネート樹脂パネル１０の斜視図を示す。図１に示すように、本実施例では、パネル本体１２は熱可塑性プラスチックの一種であるポリカーボネート(Polycarbonate)樹脂素材からなる。
【００１６】
本実施例の修繕されたポリカーボネート樹脂パネル１０は、永年使用により日光や風に曝されて劣化したポリカーボネート樹脂パネルの一面（外面）が７ないし８種類の１８０番から３０００番の粗さのサンドペーパーで研磨され、次いで、粗・中・極細のコンパウンド液体研磨剤で研磨され、最後に１８０番から３０００番の粗さの水取りサンドペーパーで研磨されて修繕されている。
【００１７】
（製造方法）
図２は、実施例１に係る修繕されたポリカーボネート樹脂パネル１０の製造プロセスを示すフローチャートである。
図２に示すように、ステップ１（Ｓ１）において、劣化したポリカーボネート樹脂パネルパネルを水で洗浄する。ステップ２（Ｓ２）において、洗浄したポリカーボネート樹脂パネルの両面を７ないし８種類の１８０番から３０００番の粗さのサンドペーパーで研磨する。具体的には、１８０番、２４０番、３２０番、８００番、１０００番、２０００番、最後に３０００番のサンドペーパーでそれぞれ研磨する。
【００１８】
次いで、ステップ３（Ｓ３）において、粗・中・極細の３種類のコンパウンド液体研磨剤で研磨する。粗・中・極細の３種類のコンパウンド液体研磨剤として、具体的には、３Ｍ(登録商標)の スーパーデューティラビングコンパウンド５９５５、コンパウンドカット・１−Ｌ ５９６７、コンパウンドウルトラカット・１−Ｌ５９５８をそれぞれ使用する。
最後に、ステップ４（Ｓ４）において、１０００番と２４００番の粗さの水取りサンドペーパーで研磨することによって、修繕されたポリカーボネート樹脂パネル１０が完成する。
【００１９】
図３は、実施例１に係る修繕されたポリカーボネート樹脂パネル１０の使用例を示す図である。本実施例は、アーケードの屋根に使用される例である。ここで、１４は修繕が施されていない劣化したポリカーボネート樹脂パネルを示す。このように、修繕されたポリカーボネート樹脂パネル１０は、劣化したポリカーボネート樹脂パネル１４に較べて透明性が飛躍的に向上していることがわかる。
【００２０】
−実施例２−
本実施例の修繕されたポリカーボネート樹脂パネル（図示せず）は、実施例１の修繕されたポリカーボネート樹脂パネル１０にコーティング剤による保護被膜が形成されているものである。コーティング剤としては、フッ素化エチレンポリマー（ＦＥＰ）コーティング３Ｍ（登録商標）コートキャニスターを使用する。
【００２１】
図４は、実施例２に係る修繕されたポリカーボネート樹脂パネル２０の使用例を示す図である。本実施例は、屋外の地下入口通路の屋根に使用される例である。ここで、２４は修繕が施されていない劣化したポリカーボネート樹脂パネルを示す。このように、修繕されたポリカーボネート樹脂パネル２０は、劣化したポリカーボネート樹脂パネル２４に較べて透明性が飛躍的に向上していることがわかる。
【００２２】
−実施例３−
本実施例の修繕されたポリカーボネート樹脂パネル（図示せず）は、パネル本体（図示せず）の外側面（表面）のみならず内側面（裏面）にも実施例２と同様の修繕が施されたものである。より透明度を求める場合には、このように両面に施工することでより透明性が向上する。
【００２３】
図５は、実施例３に係る修繕されたポリカーボネート樹脂パネル３０の使用例を示す図である。本実施例は、屋外のアーケードの屋根に使用される例である。ここで、３４は短年使用に係る修繕が施されていない劣化したポリカーボネート樹脂パネルを示し、３６は長年使用に係る修繕が施されていない劣化したポリカーボネート樹脂パネルを示す。このように、修繕されたポリカーボネート樹脂パネル３０は、劣化したポリカーボネート樹脂パネル３４，３６に較べて透明性が飛躍的に向上していることがわかる。
【００２４】
以上のように本発明にかかる修繕されたポリカーボネート樹脂は、クリア感が取り戻され、更に独自のコーティング仕上げが施されているので美観を保ち劣化が防がれる。
アーケードなどに設置された劣化したポリカーボネート樹脂パネルを取り外し、リペレットなどで再利用するのではなく、修繕されたポリカーボネート樹脂は、そのままの設置状態で劣化を食い止め、美感を取り戻し再現できる。また、産業廃棄物としての処理が低減できるので、地球に対する環境対策にも繋がる。
【００２５】
以上、本発明の一実施例について説明したが、本発明は上記実施例に限定されるものではなく、その趣旨を逸脱しない限りにおいて種々の変更が可能である。
【産業上の利用可能性】
【００２６】
本発明に係る修繕されたポリカーボネート樹脂パネルは、窓材、テラスやベランダの屋根材や腰板、カーポート屋根材等のエクステリア部材や体育館等の屋根材、アーケードや通路の屋根材、タクシー乗り場やバス停等シェルターなどに代表される建築資材に、又は透明防音板などの道路資材、鉄道車輌資材等様々な用途として有用である。
【符号の説明】
【００２７】
１０，２０，２０  修繕されたポリカーボネート樹脂パネル
１２  パネル本体（修繕されたポリカーボネート樹脂パネル本体）
１４，２４，３４  修繕が施されていない劣化したポリカーボネート樹脂パネル
３６  修繕が施されていない劣化したポリカーボネート樹脂パネル（短年使用）
【図１】
2014037023.tif 000003
【図２】
2014037023.tif 000004
【図３】
2014037023.tif 000005
【図４】
2014037023.tif 000006
【図５】
2014037023.tif 000007